(57)【要約】【課題】本体の強度を保持しつつ、薄型化が可能な薄型発光ブロックを提供する。【解決手段】薄型発光ブロック１は板体状の基体部２と、この基体部２を支持するシャーシ部３と、基体部２に嵌合可能なスレッドライン部４とから構成されている。シャーシ部３は、金属板から成るシャーシ本体部３ａと、シャーシ本体部３ａに接続した平行する複数の長尺の横骨組部３ｂと、横骨組部３ｂと直交する複数の縦骨組部３ｃとから構成されている。ブロック片部２ａ及びブロック片部２ｂはシャーシ本体部３ａによって連結した状態になるが、厚みを有するシャーシ本体部３ａと、横骨組部３ｂ及び縦骨組部３ｃとを一体化することによって、シャーシ部３に衝撃等が加えられても、シャーシ部３全体に分散し、シャーシ部３は変形することなく薄型発光ブロック１が保形される。【選択図】図１
2019038397.tif 000002
【特許請求の範囲】
【請求項１】
板体状の基体部と、該基体部を支持するシャーシ部と、該シャーシ部に嵌合可能なスレッドライン部とから構成され、前記スレッドライン部の発光部により点灯、消灯処理を行う薄型発光ブロックであって、
前記シャーシ部は、断面コの字の溝部及び該溝部の両端から外側へ水平に延在する一対の平板部から成る金属製のシャーシ本体部と、前記一対の平板部のうちの少なくとも一方の平板部に固定した平行する複数の横骨組部と、該横骨組部と直交するように固定した複数の縦骨組部とから成り、
前記基体部は、２つのブロック片部から成り、該２つのブロック片部のうちの少なくとも一方のブロック片部は、前記横骨組部を固定した前記平板部と前記横骨組部と前記縦骨組部とを取り囲むように固化体で固化したものであり、
前記溝部の底部の裏面部と、前記２つのブロック片部の裏面部とを面一としたことを特徴とする薄型発光ブロック。
【請求項２】
前記溝部内には、該溝部内に嵌合するように中央に台座部が前記底部上に固定され、前記台座部上に前記スレッドライン部が固定されていることを特徴とする請求項１に記載の薄型発光ブロック。
【請求項３】
前記溝部の前記底部に、電源孔を設けたことを特徴とする請求項１又は請求項２に記載の薄型発光ブロック。
【請求項４】
前記スレッドライン部の一端には、電源線及び電源線に連結したコネクタ部を配置し、前記スレッドライン部の他端には、前記コネクタ部と連結可能なコネクタ受部を配置し、前記コネクタ部及び前記コネクタ受部を介して複数のスレッドライン部を接続可能としたことを特徴とする請求項１〜３の何れか１項に記載の薄型発光ブロック。
【請求項５】
前記スレッドライン部の表面と、前記ブロック片部の表面とを面一としたことを特徴とする請求項１〜４の何れか１項に記載の薄型発光ブロック。
【請求項６】
前記平板部には、複数の孔部が所定の間隔で穿設されていることを特徴とする請求項１〜５の何れか１項に記載の薄型発光ブロック。
【請求項７】
前記一方の前記ブロック片部の表面には、円錐台の形状の突起物が縦横等間隔で配置されていることを特徴とする請求項１〜６の何れか１項に記載の薄型発光ブロック。
【請求項８】
他方の前記ブロック片部の表面には、長方形状の突起物が配置されていることを特徴とする請求項７に記載の薄型発光ブロック。
【発明の詳細な説明】
【技術分野】
【０００１】
本発明は、駅のプラットホーム等に設置し、発光を行う薄型発光ブロックに関するものである。
【背景技術】
【０００２】
駅のプラットホームには、線路上への転落防止の注意喚起を行う装置として、点滅を行うスレッドラインが例えばプラットホームの線路に沿った長手方向に埋設されている。
【０００３】
特許文献１には、ＬＥＤ発光体を埋設したプラットホーム用タイルが開示されている。このタイルの一方の端部から他方の端部を横切るスレッドラインは、所定間隔で配置した複数のＬＥＤ発光体から構成されている。この特許文献１のプラットホーム用タイルを、既存のプラットホームに配置されているタイルと交換作業を行うことで、プラットホームにＬＥＤ発光体から成るスレッドラインを新設することができる。
【先行技術文献】
【特許文献】
【０００４】
【特許文献１】特開２０１０−２５４０４６号公報
【発明の概要】
【発明が解決しようとする課題】
【０００５】
しかし、特許文献１のプラットホーム用タイルは、ＬＥＤ発光体を内蔵しているためタイル自体に厚みを有し、特に既存のタイルが薄型の場合には交換することが困難となる。
【０００６】
そこで、既存の薄型のタイルの設置個所に合わせて、特許文献１のタイルの裏面を或る程度削って薄くすると、タイル自体の強度が不足するという問題も生ずる。
【０００７】
更に、特許文献１のプラットホーム用タイルでは、スレッドラインの電力線を水平方向に対しては容易に布線することができるが、プラットホーム下に配線孔を設けて電力線を配線する場合には、スレッドライン下のシャーシ部及びコンクリート部を上下方向に貫通する貫通孔を穿設する必要がある。
【０００８】
本発明の目的は、上述の課題を解消し、骨組部を一体化したシャーシ部によって左右のブロック片部を連結する構造にすることで、本体の強度を保持しつつ薄型化できる薄型発光ブロックを提供することにある。
【課題を解決するための手段】
【０００９】
上記目的を達成するための本発明に係る薄型発光ブロックは、板体状の基体部と、該基体部を支持するシャーシ部と、該シャーシ部に嵌合可能なスレッドライン部とから構成され、前記スレッドライン部の発光部により点灯、消灯処理を行う薄型発光ブロックであって、前記シャーシ部は、断面コの字の溝部及び該溝部の両端から外側へ水平に延在する一対の平板部から成る金属製のシャーシ本体部と、前記一対の平板部のうちの少なくとも一方の平板部に固定した平行する複数の横骨組部と、該横骨組部と直交するように固定した複数の縦骨組部とから成り、前記基体部は、２つのブロック片部から成り、該２つのブロック片部のうちの少なくとも一方のブロック片部は、前記横骨組部を固定した前記平板部と前記横骨組部と前記縦骨組部とを取り囲むように固化体で固化したものであり、前記溝部の底部の裏面部と、前記２つのブロック片部の裏面部とを面一としたことを特徴とする。
【発明の効果】
【００１０】
本発明に係る薄型発光ブロックは、骨組部を一体化したシャーシ部によって左右のブロック片部を連結することで、本体の強度を保持しつつ薄型化することができる。また、シャーシ部の裏面部とブロック片部の裏面部とを面一にすることができ、シャーシ部の溝部の底部に電源孔を設けることで、プラットホームの下方に対して電源線の配線を容易に行うことができる。
【図面の簡単な説明】
【００１１】
【図１】薄型発光ブロックの斜視図である。
【図２】側面図である。
【図３】ブロック片部を透過した状態の斜視図である。
【図４】実施例２のブロック片部を透過した状態の斜視図である。
【図５】薄型発光ブロックを連結した状態のプラットホーム端の平面図である。
【図６】プラットホーム端の側方断面の説明図である。
【発明を実施するための形態】
【００１２】
本発明を図示の実施例に基づいて詳細に説明する。
【実施例１】
【００１３】
図１は実施例１の薄型発光ブロックの斜視図、図２は側面図、図３は基部を透過した状態の斜視図である。薄型発光ブロック１の大きさは、例えば縦３０ｃｍ、横４０ｃｍ、高さ３ｃｍ程度であり、これらの横、縦の長さは既設のブロックの大きさ等に応じて、適宜のサイズを選択することが可能である。
【００１４】
薄型発光ブロック１は板体状の基体部２と、この基体部２を支持するシャーシ部３と、このシャーシ部３に嵌合可能なスレッドライン部４とから構成されている。
【００１５】
基体部２はシャーシ部３を挟んで左側の第１のブロック片部２ａと右側の第２のブロック片部２ｂとから構成されており、これらの第１、第２のブロック片部２ａ、２ｂの表面には、盲人用の黄色に着色された突起物２ｃ、２ｄがそれぞれ配置されている。
【００１６】
ブロック片部２ａ上の黄色の薄板パネル上に配置された突起物２ｃは、円錐台の形状とされ、縦横等間隔に計２５個が配置されている。これらの突起物２ｃに沿って、盲人は足での感触により移動可能となっている。
【００１７】
ブロック片部２ｂ上の黄色の薄板パネル上に配置された突起物２ｄは、長方形状とされており、プラットホームの内側の内方線を意味している。盲人はこの突起物２ｄに対する感触と突起物２ｃに対する感触との相対位置から、どの方向がプラットホームの内側なのか認識することができる。
【００１８】
また、突起物２ｃ、２ｄを黄色の薄板パネルに設けずに、黄色に着色した第１、第２のブロック片部２ａ、２ｂ上に直接取り付けるようにしてもよく、更に薄型発光ブロック１には突起物２ｃ、２ｄを設けずに、基体部２は凹凸のない平面状の板体状であっても支障はない。基体部２には突起物２ｃ、２ｄの代りに、ブロック片部２ａ、２ｂ上に適宜のゴム材から成る滑り止め部等を取り付けることもできる。
【００１９】
また、突起物２ｃ、２ｄの配置によって、ブロック片部２ａ、２ｂの横幅は大きく異なっているが、滑り止め部等を取り付ける薄型発光ブロック１の場合には、スレッドライン部４が中央に配置されるように左右のブロック片部２ａ、２ｂの横幅を同じにすることが好ましい。
【００２０】
シャーシ部３は、ステンレス等の硬質金属板から成るシャーシ本体部３ａと、このシャーシ本体部３ａに溶接等により固定した平行する複数の長尺の横骨組部３ｂ、短尺の横骨組部３ｂ'と、これらの横骨組部３ｂ、３ｂ'と直交する複数の縦骨組部３ｃとから構成されている。
【００２１】
シャーシ本体部３ａは、厚さ３ｍｍ程度の金属板を屈曲して成型され、溝幅４ｃｍ程度、溝深１．２ｃｍ程度の断面コの字状の溝部３ｄと、この溝部３ｄの両上端から外側に水平方向に延在する一対の横幅２ｃｍ程度の平板部３ｅとから成っている。また、溝部３ｄの底部３ｆには適宜に、配線孔を穿設してもよい。
【００２２】
長尺の横骨組部３ｂの一端は片側の平板部３ｅ上に配置され、短尺の横骨組部３ｂ'は他側の平板部３ｅ上に配置され、それぞれ溶接により平板部３ｅに固定されている。
【００２３】
溝部３ｄ内には、溝部３ｄ内に嵌合するように中央に台座部３ｇが底部３ｆ上に固定されている。この台座部３ｇは金属板により成型され、長さは１２ｃｍ、高さ１ｃｍ程度とされている。なお、１枚の金属板の代りに、強度を考慮し、溝部３ｄと同様の金属板から成る長方形状の台座部３ｇを採用してもよい。
【００２４】
この台座部３ｇの頂面には、スレッドライン部４を固定するねじ孔３ｈと、スレッドライン部４の底部３ｆに突出するねじを嵌合する嵌入孔３ｉが穿設されている。
【００２５】
ブロック片部２ａ内に組み込まれる長尺の横骨組部３ｂは、直径４ｍｍ程度の鉄筋等から成り、長さはブロック片部２ａの横幅より若干短い。ブロック片部２ｂ内に配置される短尺の横骨組部３ｂ'も横骨組部３ｂと同素材であり、長さがブロック片部２ｂの横幅より若干短い。
【００２６】
また、ブロック片部２ａ内及びブロック片部２ｂ内に配置される縦骨組部３ｃは、横骨組部３ｂ同様に直径４ｍｍ程度の鉄筋等から成り、長さはブロック片部２ａの縦幅と略一致している。これらの横骨組部３ｂ、横骨組部３ｂ'は交差するように連結した縦骨組部３ｃと溶接により接合されている。
【００２７】
そして、ブロック片部２ａは、一方の平板部３ｅと横骨組部３ｂと縦骨組部３ｃとを取り囲むように、またブロック片部２ｂは、他方の平板部３ｅと横骨組部３ｂ'と縦骨組部３ｃとを取り囲むように、コンクリートや熱硬化性樹脂等の固化体で固化したものである。この際に、シャーシ本体部３ａの底部３ｆの裏面部と、ブロック片部２ａ、ブロック片部２ｂの裏面部とは、面一とされている。
【００２８】
このように、ブロック片部２ａ及びブロック片部２ｂはシャーシ本体部３ａによって連結した状態になるが、厚みを有する硬質金属から成るシャーシ本体部３ａと、鉄筋等から成る横骨組部３ｂ、３ｂ'及び縦骨組部３ｃとを一体化することによって、シャーシ部３に衝撃等が加えられても、衝撃等はシャーシ部３全体に分散し、シャーシ部３は変形することなく薄型発光ブロック１が保形される。
【００２９】
特にシャーシ本体部３ａのみでブロック片部２ａ及びブロック片部２ｂを支えた場合には、平板部３ｅに対して集中して負荷が大き過ぎてしまい、シャーシ本体部３ａが変形してしまうのに対して、上述の一体化による分散効果によりシャーシ本体部３ａの変形を回避することができる。
【００３０】
シャーシ部３の溝部３ｄ上に配置されるスレッドライン部４は、横４ｃｍ、縦３０ｃｍ、高さ２ｃｍの長方形とされ、その表面に複数個の円形状の発光部４ａが等間隔に配置されている。スレッドライン部４の横幅は、溝部３ｄの溝幅と略一致しており、溝部３ｄ内に嵌め込むことが可能である。
【００３１】
スレッドライン部４は台座部３ｇ上に載置され、スレッドライン部４上のねじ孔４ｂから台座部３ｇのねじ孔３ｈまで、ねじＮを挿入して螺合することで、台座部３ｇにスレッドライン部４が固定されている。
【００３２】
なお、台座部３ｇ上に固定されたスレッドライン部４の表面と、第１、第２のブロック片部２ａ、２ｂの表面とは面一となるように、台座部３ｇの高さは適宜に調整されている。
【００３３】
また、スレッドライン部４を台座部３ｇに載置時の位置合わせは、図示しないスレッドライン部４の裏面から突出するねじの頭部を嵌入孔３ｉに埋め込むように嵌入することで容易に行うことができる。
【００３４】
発光部４ａはポリカーボネート、アクリル等の合成樹脂材から成る透光板を表面に備え、これらの円形の透光板はスレッドライン部４の表面と面一になるように配置されている。透光板は上方からの押圧力に対して破損し難い厚みを有し、透光板の下方には、図示しないＬＥＤ素子等から成る発光体が設置されており、各発光体は電源線により並列的に接続されている。
【００３５】
これらの発光体は注意喚起に適した例えば赤色の高輝度ＬＥＤ素子を用いることが好ましい。また、赤色の高輝度ＬＥＤ素子以外に、青色、緑色の高輝度ＬＥＤ素子も赤色の高輝度ＬＥＤ素子と併せて使用することもできる。
【００３６】
電源線により、直流電源の所定電圧を発光体に印加することで、複数個の発光部４ａが同時に点灯するようになっている。従って、直流電源からのオンオフ処理に伴って、発光部４ａの点灯、消灯処理が行われる。
【００３７】
また、スレッドライン部４の一端には、隣接する薄型発光ブロック１のスレッドライン部４と連結可能な図示しない電源線及び電源線に連結したコネクタ部が配置されており、スレッドライン部４の他端には、コネクタ部と連結可能なコネクタ受部が配置されている。これらのコネクタ部及びコネクタ受部を介して数珠繋ぎ状に複数のスレッドライン部４を並列接続することが可能である。
【００３８】
なお、これらの電源線、コネクタ部及びコネクタ受部は、スレッドライン部４の下の溝部３ｄであって、台座部３ｇが配置されていない空隙内に配置されている。
【実施例２】
【００３９】
図４は実施例２の異なるシャーシ部３’を採用した薄型発光ブロック１のブロック片部を透過した状態の斜視図である。実施例１の薄型発光ブロック１と異なる点は、ブロック片部２ｂ側に横骨組部３ｂ'及び縦骨組部３ｃを設けずに、幅がブロック片部２ｂの横幅と略一致した平板部３ｅ’を採用していることである。
【００４０】
平板部３ｅ’以外の構造は、実施例１の薄型発光ブロック１と同様であり、平板部３ｅ’を採用することで横骨組部３ｂ'及び縦骨組部３ｃの固定作業が不要になりコストダウンにつながる。
【００４１】
また、平板部３ｅ’の表面には、複数の孔部３ｊが所定の間隔で穿設されている。これらの孔部３ｊは、平板部３ｅ’の強度を保持しながら軽量化、低コスト化を実現している。更に、平板部３ｅ’を取り囲むように固化体で固化する際に、孔部３ｊ内でも固化体が固化することにより、平板部３ｅ’とブロック片部２ｂとの接着性が増す効果を有する。
【００４２】
ブロック片部２ａ側の平板部３ｅ、又は実施例１の薄型発光ブロック１の平板部３ｅに対して、複数の孔部３ｊを板材の強度が弱体化しない程度に適宜に穿設するようにしてもよい。
【実施例３】
【００４３】
図５は既設の厚さ３０ｍｍの内方線付きの盲人用ブロックに代えて、複数の薄型発光ブロック１を連結して基部Ｋ上に敷設した状態の実施例３のプラットホーム端の平面図、図６はプラットホーム端の側方断面の説明図である。なお、実施例１と同じ符号は、同じ部材、同じ部位を示している。
【００４４】
このように、薄型発光ブロック１の複数のスレッドライン部４を数珠繋ぎ状に並列接続し、複数のスレッドライン部４が直線状になるように接続する。
【００４５】
通常では、薄型発光ブロック１に対してプラットホームＰの端部Ｅの線路側に、滑り止め部Ｓを有する先端タイルＴが配置されている。そして、この先端タイルＴに対する内側に薄型発光ブロック１が隣接され、薄型発光ブロック１の内方線である突起物２ｄの線路側と反対側に乗客が待機したり、移動したりする。
【００４６】
既設の盲人用ブロックと交換可能な薄型発光ブロック１以外にも、盲人用ブロックと先端タイルＴを連結して一体化した薄型発光ブロック１としてもよく、既設の盲人用ブロック及び先端タイルＴを併せて、一体化した薄型発光ブロック１と交換することもできる。
【００４７】
電源制御装置Ｃの接続手順については、薄型発光ブロック１の下方から電源制御装置Ｃからの電源線Ｄを取り込むことが可能である。薄型発光ブロック１の下方から電源線Ｄを取り込む場合には、先ず交換する既設の盲人用ブロックの内、端部となる盲人用ブロックを取り外し、下方が中空状でありコンクリート等から成る基部Ｋに対して、ドリル等を用いて直径５ｃｍ程度の貫通孔Ｈを穿設する。
【００４８】
続いて、円筒形をした直径２ｃｍ程度の保護管Ｇをシャーシ本体部３ａの底部３ｆの電源孔に外側から取り付け、貫通孔Ｈに保護管Ｇを挿入するように設置する。保護管Ｇ内には電源線Ｄを内設されており、コネクタ部及びコネクタ受部を介してスレッドライン部４を水平に数珠繋ぎ状に連結し、端部の薄型発光ブロック１のコネクタ受部を介して延在する電源線Ｄの他端は、外部に設置した電源制御装置Ｃと接続されている。
【００４９】
この電源制御装置Ｃの電源制御により、連結したスレッドライン部４の発光部４ａは、同期して点灯、消灯制御を行うことができ、基部Ｋに対して貫通孔Ｈを穿設するだけで、プラットホームＰ下の空間を利用してスレッドライン部４に対する電源線Ｄを容易に配線することができる。
【００５０】
電源制御装置Ｃに列車連動装置を接続し、列車接近信号を入力した際に、所定時間だけ薄型発光ブロック１のスレッドライン部４を点滅制御させたり、緊急用バッテリーを電源制御装置Ｃに内蔵させて、電源制御装置Ｃに対する電源供給が停止した場合に、緊急用バッテリーを利用して、足下を照らすためにスレッドライン部４を連続点灯させることもできる。
【００５１】
また、電源線Ｄ以外に、信号線も併せて電源制御装置Ｃから薄型発光ブロック１に配線することもでき、スレッドライン部４にクロック機能を有するＩＣ等から成るクロック部を内設して、ディレーの点灯タイミング制御を行う機能を有することもできる。
【００５２】
隣接する薄型発光ブロック１に対してずらしながら点滅させることも可能であり、ずらしながら点滅させることで、点灯した発光部４ａからの光が列車の進入する方向に移動するように、順次に点滅制御させることもできる。
【００５３】
このようにずらしながら点滅するディレー点灯制御は、例えば図５に示す薄型発光ブロック１は同期したクロック部を有し、第１の薄型発光ブロック１はクロック機能を有するＩＣが０秒の発光タイミングで、隣接する第２の薄型発光ブロック１はクロック機能を有するＩＣが０．２５秒の発光タイミングで、更に隣接する第３の薄型発光ブロック１はクロック機能を有するＩＣが０．５秒の発光タイミングで、更に隣接する第４の薄型発光ブロック１はクロック機能を有するＩＣが０．７５秒の発光タイミングで、２００ｍ秒程度点灯する。
【００５４】
これを所定周期、例えば１秒周期で繰り返すことで、第１〜第４の薄型発光ブロック１の発光部４ａからの光が順次に移動するように点灯させることが可能である。なお、多数の薄型発光ブロック１を敷設する場合には、発光タイミングを細かく調整したり、第１〜第４の薄型発光ブロック１を複数セット配置することになる。
【００５５】
このように、本発明に係る薄型発光ブロック１は、鉄筋等から成る横骨組部３ｂ、３ｂ'及び縦骨組部３ｃとを一体化したシャーシ本体部３ａから成るシャーシ部３によって左右のブロック片部２ａ、２ｂを連結することで、本体の強度を保持しながら薄型化することが可能である。
【００５６】
また、シャーシ本体部３ａの底部３ｆの裏面部と、左右のブロック片部２ａ、２ｂの裏面部とを面一にすることにより、溝部３ｄの底部３ｆに電源孔を設けることで、プラットホームＰ下の空間を利用して電源線Ｄを容易に配線することができる。
【符号の説明】
【００５７】
１  薄型発光ブロック
２  基体部
２ａ  第１のブロック片部
２ｂ  第２のブロック片部
２ｃ、２ｄ  突起物
３  シャーシ部
３ａ  シャーシ本体部
３ｂ、３ｂ'  横骨組部
３ｃ  縦骨組部
３ｄ  溝部
３ｅ  平板部
３ｆ  底部
３ｇ  台座部
４  スレッドライン部
４ａ  発光部
【図１】
2019038397.tif 000003
【図２】
2019038397.tif 000004
【図３】
2019038397.tif 000005
【図４】
2019038397.tif 000006
【図５】
2019038397.tif 000007
【図６】
2019038397.tif 000008